【事件の表示】
　特願２００５−１８３２１６「半透過型液晶表示装置」拒絶査定不服審判事件〔平成１９年　１月１１日出願公開、特開２００７−　　３７７８〕について、次のとおり審決する。
【結　論】
　本件審判の請求は、成り立たない。
【理　由】
Ｉ．手続の経緯・本願発明
　本願は、平成１７年６月２３日の出願であって、平成１８年１０月４日及び平成１９年１月１２日に手続補正がなされ、同年２月５日付けで拒絶査定がなされ、これに対し、同年３月２２日に拒絶査定不服審判請求がなされるとともに同年４月１１日に手続補正がなされたものである。
　
　
　
ＩＩ．平成１９年４月１１日付けの手続補正についての補正却下の決定
［補正却下の決定の結論］
　平成１９年４月１１日付けの手続補正を却下する。
　
［理由］
１．補正の内容  
　平成１９年４月１１日付けの手続補正（以下「本件補正」という。）は、補正前の請求項１を、以下のように補正することを含むものである。  
「【請求項１】
　透過領域を形成する透過画素電極と、反射領域を形成する反射画素電極とを有する第１基板と、
　色材を用いて形成されるカラーフィルタと、前記カラーフィルタの周囲に設けられた遮光膜とを有する第２基板と、
　前記第１基板と前記第２基板とに挟持された液晶とを備える半透過型液晶表示装置であって、
　前記第２基板は、
　前記反射領域の前記色材に設けられ、少なくとも二辺が前記色材よりも仕上がり寸法精度の高い前記遮光膜上に構成される開口部と、
　前記開口部を埋めつつ、前記透過領域と前記反射領域とで前記液晶層の厚みが変わるように前記色材を覆うように成膜される樹脂膜と、
　前記遮光膜が配置されている位置の前記樹脂膜上に柱状スペーサをさらに備え、
　前記開口部の少なくとも二辺をなす前記遮光膜の形状が前記色材によって異なり、前記開口部の面積が変化していることを特徴とする半透過型液晶表示装置。」（以下「本願補正発明」という。）
 　 
 　 
２．独立特許要件 
　本件補正は、補正前の請求項１の「遮光膜」が、「前記色材よりも仕上がり寸法精度の高い」ものであるとの限定、同じく「遮光膜」及び「開口部」について、「前記開口部の少なくとも二辺をなす前記遮光膜の形状が、前記色材によって異なり、前記開口部の面積が変化している」との限定を付加するものであって、平成１８年改正前特許法（以下、単に「特許法」という。）第１７条の２第４項第２号の特許請求の範囲の減縮を目的とするものに該当すると認められるところ、以下に述べるとおり、本願補正発明は、特許出願の際に独立して特許を受けることができないものであるので、本件補正は、特許法第１５９条第１項において読み替えて準用する同法第５３条第１項の規定により却下すべきものである。 
 　 
１〕刊行物記載の発明  
　本願の出願前に頒布され、原査定の拒絶の理由に引用された刊行物である特開２０００−２９０１２号公報（以下「引用刊行物１」という。）には、図面とともに以下の事項が記載されている。
　
（ア）「【請求項２】  液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、
前記他方側の基板上における前記反射部に対応する領域は、カラーフィルターが形成された領域とカラーフィルターが形成されていない領域とにより構成されてなり、
前記カラーフィルターは、前記画素電極領域と前記カラーフィルター形成領域との貼り合わせずれが発生した際も、該カラーフィルターが形成されていない領域の面積が一定となるように形成されていることを特徴とする液晶表示装置。
【請求項３】  前記他方側の基板上における前記透過部に対応する領域は、カラーフィルターが形成された領域により構成されていることを特徴とする請求項２に記載の液晶表示装置。
【請求項４】  前記カラーフィルタが形成された領域と、前記カラーフィルタが形成されていない領域との境界に、ブラックマスクが形成されていることを特徴とする請求項１および２に記載の液晶表示装置。」
（イ）「【００１４】本発明は、上述したような反射型または透過反射両用型の液晶表示装置におけるカラーフィルターの形成に関する問題点に鑑みなされたものであって、その目的とするところは、反射型または透過反射両用型の液晶表示装置におけるカラーフィルターを従来の液晶表示装置におけるカラーフィルターと比べてプロセスを増加させることなく形成し、画素電極領域とカラーフィルター領域との貼り合わせずれが発生した場合であっても、色純度が高く明るいカラー表示を実現した液晶表示装置を提供することを目的とするものである。
【００１５】
【課題を解決するための手段】本発明の液晶表示装置は、液晶層を挟んで互いに対向して貼り合わされる一対の基板のうちの一方側の基板上には、反射電極が形成され、該一対の基板のうちの他方側の基板上には、カラーフィルターが形成されてなる液晶表示装置において、前記他方側の基板上における前記反射電極に対応する領域は、カラーフィルターが形成された領域とカラーフィルターが形成されていない領域とにより構成されてなり、前記カラーフィルターは、前記反射電極領域と前記カラーフィルター形成領域との貼り合わせずれが発生した際も、該カラーフィルターが形成されていない領域の面積が一定となるように形成されていることを特徴としており、そのことにより、上記目的は達成される。
【００１６】また、本発明の液晶表示装置は、液晶層を挟んで互いに対向して貼り合わされる一対の基板のうちの一方側の基板上には、外光を反射する反射部と背面光源からの光を透過する透過部とを１画素内に構成する画素電極が形成され、該一対の基板のうちの他方側の基板上には、カラーフィルターが形成されてなる液晶表示装置において、前記他方側の基板上における前記反射部に対応する領域は、カラーフィルターが形成された領域とカラーフィルターが形成されていない領域とにより構成されてなり、前記カラーフィルターは、前記画素電極領域と前記カラーフィルター形成領域との貼り合わせずれが発生した際も、該カラーフィルターが形成されていない領域の面積が一定となるように形成されていることを特徴としており、そのことにより、上記目的は達成される。
【００１７】なお、このとき、前記他方側の基板上における前記透過部に対応する領域は、カラーフィルターが形成された領域により構成されていることが望ましい。
【００１８】また、このとき、前記カラーフィルタが形成された領域と、前記カラーフィルタが形成されていない領域との境界に、ブラックマスクが形成されていることが望ましい。
【００１９】以下、本発明の作用について簡単に説明する。
【００２０】本発明によれば、液晶層を挟んで互いに対向して貼り合わされる一対の基板のうちの一方側の基板上には、反射電極が形成され、該一対の基板のうちの他方側に基板上における該反射電極に対応する領域には、カラーフィルターが形成された領域とカラーフィルターが形成されていない領域とが形成されてなる液晶表示装置において、このカラーフィルターは、前記反射電極領域とカラーフィルター形成領域との貼り合わせずれが発生した際も、カラーフィルターが形成されていない領域の面積が一定となるように形成されていることを特徴としていることにより、カラーフィルター作成時におけるカラーフィルターエッジ部の仕上がりのばらつきやパネル作成時における基板の貼り合わせずれが発生した際でも、液晶表示装置の明るさや色調などの光学特性のばらつきを最小限にすることが可能となっている。
【００２１】なお、外光を反射する反射部と背面光源からの光を透過する透過部とを１画素内に構成する画素電極が形成された液晶表示装置においては、前記他方側の基板上における前記透過部に対応する領域をカラーフィルターが形成された領域により構成することで、色純度の高い表示を行うことが可能となる。
【００２２】また、前記カラーフィルタが形成された領域と前記カラーフィルタが形成されていない領域との境界に、カラーフィルターエッジ部の仕上がりのばらつきよりも広い線幅のブラックマスクを形成することで、カラーフィルターエッジ部における仕上がりにばらつきが生じた際でも、色純度やコントラストなどの表示特性のばらつきを最小限にすることが可能となる。
【００２３】
・・・（略）・・・。
【００２４】（比較例１）本発明の実施の形態の説明を容易にするため、まず本発明の比較例１における液晶表示装置について図面を用いて説明する。図１（ａ）は、本発明の比較例１における反射型液晶表示装置の画素電極部分を示した拡大平面図であり、図１（ｂ）は、図１（ａ）におけるＡ−Ａ´線の断面を示した拡大断面図である。
【００２５】・・・（略）・・・。
【００２６】なお、図１および図２においては、カラーフィルター１１Ａ、１１Ｂ、１１Ｃと画素電極である反射電極３以外の構成については省略している。また、反射電極３の形状については、図示するような長方形でなくても構わない。
【００２７】・・・（略）・・・。
【００２８】・・・（略）・・・。
【００２９】・・・（略）・・・。
【００３０】・・・（略）・・・。
【００３１】・・・（略）・・・。
【００３２】ここで、本発明の比較例１について図１を用いて説明する。図１（ａ）および図１（ｂ）に示すように、下側基板１上には反射電極３が所定の形状に形成されており、それに対向するカラーフィルター基板２上にはカラーフィルター１１Ａ、１１Ｂ、１１Ｃおよび透明電極４がそれぞれ形成されている。この下側基板１およびカラーフィルター基板２上に形成された反射電極３および透明電極４との間には液晶層５が挟持されている。
【００３３】この比較例１は、図１（ａ）に示すように、上述したような従来のカラーフィルターの材料や膜厚などを調節する方法に替わって、カラーフィルター基板２上の反射電極３に対応する領域に、色純度の高い透過型液晶表示装置用のカラーフィルターを形成するとともに、カラーフィルターを形成しない領域（Ｂ）を設けていることを特徴としている。そして、このカラーフィルターが形成されていない領域（Ｂ）により白を表示させ、色純度の高いカラーフィルターと混色することにより、反射型の液晶表示装置や透過反射両用型の液晶表示装置における反射領域に必要な明るい表示を実現することが可能となっている。
【００３４】なお、ここでは画素電極３を全て反射領域とした反射型の液晶表示装置を比較例１として説明したが、例えば図３に示すような画素電極の一部に透過領域８と反射領域３とを有するような透過反射両用型の液晶表示装置の場合についても同様である。」
（ウ）引用刊行物１に記載された「画素電極」の「外光を反射する反射部」及び「光を透過する透過部」（上記摘記事項（ア）【請求項２】参照。）は、それぞれ「反射電極」及び「透明電極」といえるから、引用刊行物１には、「一方側の基板には、背面光源からの光を透過する透過領域を形成する透明電極と、外光を反射する反射領域を形成する反射電極とを１画素内に構成する画素電極が形成されている」ことが記載されている。
（エ）引用刊行物１のブラックマスクは、カラーフィルターが形成された領域とカラーフィルターが形成されていない領域との境界に形成されるから（上記摘記事項（ア）【請求項４】及び同（イ）【００２２】参照。）、引用刊行物１の図３に示された透過反射両用型液晶表示装置において、前記ブラックマスクは、反射電極に対応する領域であって、前記カラーフィルターが形成されない領域の二つの辺に設けられる、といえる。
　
　したがって、上記記載事項を総合すると、引用刊行物１には次の発明（以下「引用発明１」という。）が記載されている、と認められる。
　
「背面光源からの光を透過する透過領域を形成する透明電極と、外光を反射する反射領域を形成する反射電極とを１画素内に構成する画素電極が形成された一方側の基板と、
　カラーフィルターが形成された他方側の基板と、
　前記一方側の基板と前記他方側の基板とが、液晶層を挟んで互いに対向して貼り合わされた透過反射両用型液晶表示装置であって、
　前記他方側の基板は、
　前記反射電極に対応する領域に、色純度の高い透過型液晶表示装置用のカラーフィルターを形成するとともに、カラーフィルターが形成されていない領域を設け、前記カラーフィルターが形成されない領域の二つの辺にブラックマスクを設ける透過反射両用型液晶表示装置。」
　
　
　また、本願の出願前に頒布され、同じく原査定の拒絶の理由に引用された刊行物である特開２００４−１５７２７３号公報（以下「引用刊行物２」という。）には、図面とともに以下の事項が記載されている。
　
（オ）「【００２９】
（実施形態１）
図１および図２は、本発明の実施形態１に係る透過反射両用型液晶表示装置の液晶パネルにおける要部の構成を模式的に示しており、この液晶表示装置は、透過表示モードと反射表示モードとを併用して表示するようにしたものである。尚、図１は、図２のＩ−Ｉ線断面を示しており、図２は、画素電極基板側から見た対向電極基板の平面を示している。
【００３０】
本液晶表示装置の液晶パネルは、画素毎に反射用画素電極部２１および透過用画素電極部２２を有する画素電極基板としてのＴＦＴ基板２０と、対向電極部１１を有していて、該対向電極部１１がＴＦＴ基板の反射用画素電極部２１および透過用画素電極部２２に対向するように配置された画素電極基板としてのカラーフィルタ基板１０（以下、ＣＦ基板という）とを備えている。対向電極部１１は、複数の画素に跨るように設けられており、反射用画素電極部２１は画素の略中央に、また透過用画素電極部２２は、反射用画素電極部２１を取り囲むように配置されている。これら両基板１０，２０間には、液晶層４０が配置されている。この液晶パネルは、電界により液晶分子４０ａの配列を変化させ、そのときの液晶層４０の複屈折性を利用して入射光の通過／遮断を制御するようにしたＥＣＢ（Ｅｌｅｃｔｒｉｃａｌｌｙ  Ｃｏｎｔｒｏｌｌｅｄ  Ｂｉｒｅｆｒｉｎｇｅｎｃｅ  ）モードのものである。
【００３１】
ＴＦＴ基板２０は、ガラスなどの絶縁性透明材からなる透明基板２３を有する。この透明基板２３上には、複数本の信号配線２４と複数本の走査配線２５とが互いに交差するマトリクス状に配置されている。信号配線２４と走査配線２５との各交点近傍には、ソース電極２６ａ，ドレイン電極２６ｂおよびゲート電極２６ｃを有するＴＦＴ２６（Ｔｈｉｎ  Ｆｉｌｍ  Ｔｒａｎｓｉｓｔｏｒ）が設けられている。ソース電極２６ａ，ドレイン電極２６ｂと、ゲート電極２６ｃとの間には、ゲート絶縁膜２６ｄが配置されている。そして、ソース電極２６ａには信号配線２４が、またゲート電極２６ｃには走査配線２５がそれぞれ接続されている。また、ＴＦＴ２６のドレイン電極２６ｂは、画素の略中央部まで延設されているとともに、保護層２７により覆われている。
【００３２】
信号配線２４、走査配線２５およびＴＦＴ２６上には、絶縁層２７が積層されており、反射用画素電極部２１および透過用画素電極部２２は、その絶縁層２７上に配置されている。反射用画素電極部２１の略中央に対応する絶縁層２７の部位には、該絶縁層２７を層厚方向に貫通するコンタクトホール２７ａが形成されており、反射用画素電極部２１は、このコンタクトホール２７ａを経由してＴＦＴ２６のドレイン電極２６ｂに接続されている。また、絶縁層２７の基板２３側には、画素電極部２１，２２との各間にそれぞれ信号蓄積用の付加容量Ｃｓを形成するための容量電極配線２９が走査配線２５に対し平行に延びるように配置されている。この容量電極配線２９上には、ＴＦＴ２６のゲート絶縁膜２６ｄが延設されている。
【００３３】
反射用画素電極部２１は、例えばアルミニウム（Ａｌ）など、光反射機能と電極機能とを具備する金属反射膜からなっており、この反射用画素電極部２１に対応する液晶層４０の領域は、反射表示モードに用いられる反射領域Ｒとされている。一方、透過用画素電極部２２は、例えばＩＴＯ（Ｉｎｄｉｕｍ  Ｔｉｎ  Ｏｘｉｄｅ）など、光透過機能と電極機能とを具備する透明導電膜からなっていて、その内側の端面において反射用画素電極部２１である金属反射膜の端面に接続している。この透過用画素電極部２２に対応する液晶層４０の領域は、透過表示モードに用いられる透過領域Ｔとされている。尚、本実施形態では、反射用画素電極部２１の金属反射膜と透過用画素電極部２２の透明導電膜とを端面同士が突き合わされた状態に接続するようにしているが、金属反射膜の端部と透明導電膜の端部とを重ね合わせて接続するようにしてもよい。さらには、透明導電膜を反射領域Ｒにも配置し、その透明導電膜の反射領域部分の上層に金属反射膜を配置して、それら透明導電膜の反射領域部分と金属反射膜とで反射用画素電極部２１を構成するようにしてもよいし、上記透明導電膜の反射領域部分の下層に、少なくとも光反射機能を具備する反射膜を配置して、それら透明導電膜の反射領域部分と反射膜とで反射用画素電極部２１を構成するようにしてもよい。
【００３４】
反射用画素電極部２１および透過用画素電極部２２上には、所定の方向にラビング処理してなる配向膜３０が設けられており、これにより、液晶層４０におけるＴＦＴ基板２０の界面近傍の液晶分子４０ａを該ＴＦＴ基板２０に対し平行にかつ所定の方向（図示せず）に配向させるようになっている。
【００３５】
一方、ＣＦ基板１０も、ガラスなどの絶縁性透明材からなる透明基板１２を有する。この透明基板１２の液晶層４０側には、カラーフィルタ層１３が画素毎に設けられている。その際に、反射用画素電極部２１の略中央に対応するカラーフィルタ層１３の部位には、該カラーフィルタ層１３を層厚方向に貫通する無着色部としての開口部１３ａが設けられている。対向電極部１１は、このカラーフィルタ層１３上に設けられている。この対向電極部１１も、透過用画素電極部２２の場合と同じくＩＴＯなどの透明導電膜からなっている。また、対向電極部１１上には、図１および図２にそれぞれ矢印で示す方向にラビング処理してなる配向膜１４が設けられており、これにより、液晶層４０におけるＣＦ基板１０との界面近傍の液晶分子４０ａを該ＣＦ基板１０に対し平行にかつ所定の方向に配向させるようになっている。
【００３６】
そして、本実施形態では、ＣＦ基板１０は、反射領域Ｒにおける液晶層４０の層厚Ｒｄが、透過領域Ｔにおける液晶層４０の層厚Ｔｄよりも小さく（Ｒｄ＜Ｔｄ）なるように設けられた凸部１５を有する。
【００３７】
具体的には、カラーフィルタ層１３の反射領域部分と、対向電極部１１の反射領域部分との間には、対向電極部１１の反射領域部分をＴＦＴ基板２０の反射用画素電極部２１に向かって隆起させるように透明層１６が設けられており、上記の凸部１５は、この透明層１６により形成されている。また、カラーフィルタ層１３の開口部１３ａには、透明層１６の一部が充填されている。このような透明層１６を形成する方法としては、例えば、ネガ型透明アクリル樹脂系感光材からなる膜を透明基板１２上に形成し、それを活性光により所定形状にパターン露光した後、アルカリ現像液での現像および水洗を行って未露光部分を除去し、しかる後、熱処理を行うことが挙げられる。尚、エッチングによるパターニングや、印刷，転写などによって設けることもできる。」
（カ）引用刊行物２の液晶表示装置の液晶パネルにおいて、前記反射用画素電極部の略中央に対応するカラーフィルタ層の部位に設けられた開口部を埋めつつ、前記透過用画素電極部と前記反射用画素電極部とで液晶層の厚みが変わるように前記カラーフィルタ層を覆うように透明層が設けられること、が図１から見て取れる。
　
　したがって、上記記載事項を総合すると、引用刊行物２には次の発明（以下「引用発明２」という。）が記載されている、と認められる。
　
「透過用画素電極部と反射用画素電極部とを有するＴＦＴ基板と、カラーフィルタ層を有するカラーフィルタ基板とを備えた、透過反射両用型液晶表示装置の液晶パネルにおいて、前記反射用画素電極部の略中央に対応するカラーフィルタ層の部位に設けられた開口部を埋めつつ、前記透過用画素電極部と前記反射用画素電極部とで液晶層の厚みが変わるように前記カラーフィルタ層を覆うように透明層を設けたもの。」
　
　
２〕対比
  本願補正発明と引用発明１を対比する。
ａ）引用発明１の「背面光源からの光を透過する透過領域」、「透明電極」、「反射領域」、「反射電極」、「一方側の基板」、「カラーフィルター」、「他方側の基板」、「透過反射両用型液晶表示装置」、「カラーフィルターが形成されていない領域」、「二つの辺」及び「ブラックマスク」は、それぞれ本願補正発明の「透過領域」、「透過画素電極」、「反射領域」、「反射画素電極」、「第１基板」、「カラーフィルタ」、「第２基板」、「半透過型液晶表示装置」、「開口部」、「二辺」及び「遮光膜」に相当する。
ｂ）引用発明１の「カラーフィルター」が、色材を用いて形成されるものであることは当業者に自明である。
ｃ）引用発明１の「前記一方側の基板と前記他方側の基板とが、液晶層を挟んで互いに対向して貼り合わされた透過反射両用型液晶表示装置」なる事項は、本願補正発明の「前記第１基板と前記第２基板とに挟持された液晶とを備える半透過型液晶表示装置」なる事項に相当する。
ｄ）引用発明１の「前記反射電極に対応する領域に、色純度の高い透過型液晶表示装置用のカラーフィルターを形成するとともに、カラーフィルターが形成されていない領域を設け」なる事項は、本願補正発明の開口部が「前記反射領域の前記色材に設けられ」なる事項に相当する。
　
　したがって、両者は、　  
 「透過領域を形成する透過画素電極と、反射領域を形成する反射画素電極とを有する第１基板と、
　色材を用いて形成されるカラーフィルタとを有する第２基板と、
　前記第１基板と前記第２基板とに挟持された液晶とを備える半透過型液晶表示装置であって、
　前記第２基板は、
　前記反射領域の前記色材に設けられる開口部を備える半透過型液晶表示装置。」
である点で一致し、以下の点において相違する。
　
相違点
〔相違点１〕：本願補正発明は、第２基板のカラーフィルタの周囲に遮光膜が設けられるのに対し、引用発明１は、カラーフィルタの周囲に遮光膜が設けられるかどうか不明な点。
〔相違点２〕：本願補正発明は、反射領域の色材に設けられる開口部の少なくとも二辺が遮光膜上に構成され、遮光膜が開口部の少なくとも二辺をなすのに対し、引用発明は、開口部の二辺に遮光膜が設けられる点。
〔相違点３〕：本願補正発明の遮光膜は、色材よりも仕上がり寸法精度の高いもので構成されるのに対し、引用発明１の遮光膜は、その仕上がり寸法精度が色材より高いかどうか不明な点。
〔相違点４〕：本願補正発明は、反射領域の色材に設けられた開口部を埋めつつ、透過領域と前記反射領域とで前記液晶層の厚みが変わるように前記色材を覆うように樹脂膜が成膜されるのに対し、引用発明１は、そのような樹脂膜がない点。
〔相違点５〕：本願補正発明は、遮光膜が配置されている位置の樹脂膜上に柱状スペーサを備えるのに対し、引用発明１は、そのような柱状スペーサがない点。
〔相違点６〕：本願補正発明は、遮光膜の形状が色材によって異なり、前記開口部の面積が変化しているのに対し、引用発明１は、遮光膜の形状が色材によって異ならず、開口部の面積も異なっていない点。
　
３〕判断  
　上記相違点につき検討する。
〔相違点１〕及び〔相違点２〕について
　液晶表示装置において、カラーフィルタを備えた基板の該カラーフィルタを囲って遮光膜を設けることは本願出願前に周知であり（必要なら、特開平７−２９４７２２号公報（図４、図１とその説明。）、特開平７−３２５２９８号公報（【００１９】、図１、図２）、特開昭６２−２６９９２８号公報（第２頁左上欄第２〜７行、第２図）、特開平２−１０３１９号公報（第２頁左上欄第１３行〜同頁右上欄第１行、第１図）等参照。）、この周知技術を引用発明１に採用し、第２基板に遮光膜を設け、この遮光膜の上にカラーフィルタを設け、カラーフィルタ及び開口部の周囲を遮光膜が囲むようになして、上記〔相違点１〕及び〔相違点２〕に係る本願補正発明の構成となすことは、当業者が容易になし得ることである。
〔相違点３〕について
　クロム等の金属膜をフォトリソグラフィー法によりパターニングすることにより、高精度の遮光膜を製造することは本願出願前に周知であり（必要なら、特開２０００−２８４７２０号公報（【０００３】）、特開平９−２４４０１４号公報（【００２６】、【００２７】、【００３３】）、特開平５−２３２３１３号公報（【０００４】）、特開平８−１６６５０８号公報（【０００３】）、特開平５−２８１４１０号公報（【０００５】）等参照。）、この周知技術を引用発明１に適用して、開口部の遮光膜を色材よりも仕上がり寸法精度の高いもので構成するようになすことは、当業者が容易になし得ることである。
〔相違点４〕について
　「透過用画素電極部と反射用画素電極部とを有するＴＦＴ基板と、カラーフィルタ層を有するカラーフィルタ基板とを備えた、透過反射両用型液晶表示装置の液晶パネルにおいて、前記反射用画素電極部の略中央に対応するカラーフィルタ層の部位に設けられた開口部を埋めつつ、前記透過用画素電極部と前記反射用画素電極部とで液晶層の厚みが変わるように前記カラーフィルタ層を覆うように透明層を設けたもの」の発明（引用発明２）は引用刊行物２において知られており、この引用発明２を引用発明１に適用して、上記〔相違点４〕に係る本願補正発明の技術的事項とすることは、当業者が容易になし得ることである。
〔相違点５〕について
　遮光膜が配置されている位置の樹脂膜上に柱状スペーサを備える液晶表示装置は本願出願前に周知であり（例えば、特開２００１−１３４８７号公報（【００３９】〜【００４４】、図２）、特開平１１−２１２０９９号公報（【００１６】〜【００２０】、図１）等参照。）、この点については格別のものとはいえない。
〔相違点６〕について
　半透過型のカラー液晶表示装置において、カラーフィルターの開口部の形状を色材によって異ならせ、該開口部の面積を変化させるものは本願出願前に周知であり（例えば、特開２００３−１２１８３３号公報（【００２２】〜【００２７】、図２）、特開２００３−２１５５６０号公報（【００３６】、図１５）、特開２００４−２５８３６７号公報（【００６７】、図９）等参照。）、この周知技術を引用発明１に適用して、上記〔相違点６〕に係る本願補正発明の技術的事項とすることは、当業者が容易になし得ることである。
　
　そして、本願補正発明によってもたされる効果は、引用刊行物１、２に記載された発明及び各周知技術から当業者が予測し得る程度のものである。
　
　したがって、本願補正発明は、引用刊行物１、２に記載された発明及び周知技術に基づいて当業者が容易に発明をすることができたものであるから、特許法第２９条第２項の規定により、特許出願の際独立して特許を受けることができないものである。
　
４〕むすび  
　以上のとおり、本件補正は、特許法第１７条の２第５項において準用する同法第１２６条第４項の規定に違反するものであるから、同法第１５９条第１項の規定において読み替えて準用する同法第５３条第１項の規定により却下すべきものである。
　
　
　
ＩＩＩ．本願発明について
１．本願発明
　平成１９年４月１１日付けの手続補正は上記のとおり却下されたので、本願の請求項に係る発明は、平成１９年１月１２日付け手続補正によって補正された明細書及び図面の記載からみて、その特許請求の範囲の請求項１〜８に記載されたものであるところ、その請求項１は次の事項によって特定されるものである。
　
「【請求項１】
　透過領域を形成する透過画素電極と、反射領域を形成する反射画素電極とを有する第１基板と、
　色材を用いて形成されるカラーフィルタと、前記カラーフィルタの周囲に設けられた遮光膜とを有する第２基板と、
　前記第１基板と前記第２基板とに挟持された液晶とを備える半透過型液晶表示装置であって、
　前記第２基板は、
　前記反射領域の前記色材に設けられ、少なくとも二辺が前記遮光膜上に構成される開口部と、
　前記開口部を埋めつつ、前記透過領域と前記反射領域とで前記液晶層の厚みが変わるように前記色材を覆うように成膜される樹脂膜と、
　前記遮光膜が配置されている位置の前記樹脂膜上に柱状スペーサをさらに備えることを特徴とする半透過型液晶表示装置。」（以下「本願発明」という。）
　
２．刊行物記載の発明
　原査定の拒絶の理由で引用された引用刊行物１、２及び引用発明１、２は、前記ＩＩ．２．１〕において記載したとおりである。
　
３．対比・判断
　本願発明は、前記ＩＩ．で検討した本願補正発明において、「遮光膜」が、「前記色材よりも仕上がり寸法精度の高い」ものであるとの限定、及び、「遮光膜」及び「開口部」についての「前記開口部の少なくとも二辺をなす前記遮光膜の形状が、前記色材によって異なり、前記開口部の面積が変化している」との限定を省いたものである。そうすると、本願発明の発明特定事項をすべて含み、さらに限定を付加したものに相当する本願補正発明が、上記ＩＩ．２．で検討したとおり、引用刊行物１、２に記載された発明及び周知技術に基づいて当業者が容易に発明することができたものであるから、本願発明も同様の理由により、引用刊行物１、２に記載された発明及び周知技術に基づいて当業者が容易に発明をすることができたものである。
　
４．むすび
　以上のとおり、本願発明は、引用刊行物１、２に記載された発明及び周知技術に基づいて当業者が容易に発明をすることができたものであるから、特許法第２９条第２項の規定により特許を受けることができない。
　
　よって、結論のとおり審決する。